(57)【要約】【課題】違和感なく自然な感覚で立ち上がり及び着座できるようにやさしく補助する。【解決手段】椅子１は、人が腰掛けるための座面板１５であって、椅子本体７の前部に取り付けたヒンジ部２１を中心に前後方向へ回動自在に設けた座面板１５と、この座面板１５の前記ヒンジ部２１の高さより下方に位置して椅子本体７に固定した下板２７と、この下板２７と前記座面板１５との間で前記座面板１５を着座定位置から着座前傾斜位置へ付勢するための上片３１と下片３３とでＶ字形状をなす板ばね２９であって、前記下片３３を前記下板２７に取り付けると共に前記上片３１の端部を前記座面板１５の下面に当接する板ばね２９と、で構成されている。【選択図】図１
2007097859.tif 000002
【特許請求の範囲】
【請求項１】
人が腰掛けるための座面板であって、椅子本体の前部に取り付けたヒンジ部を中心に前後方向へ回動自在に設けた座面板と、
この座面板の前記ヒンジ部の高さより下方に位置して椅子本体に固定した下板と、
この下板と前記座面板との間で前記座面板を着座定位置から着座前傾斜位置へ付勢するための上片と下片とでＶ字形状をなす板ばねであって、前記下片を前記下板に取り付けると共に前記上片の端部を前記座面板の下面に当接する板ばねと、
で構成することを特徴とする椅子。
【請求項２】
前記板ばねの下片が、前記下板上において前後方向に移動調整可能であることを特徴とする請求項１記載の椅子。
【請求項３】
前記板ばねが、前記座面板の幅方向のほぼ中央に位置していることを特徴とする請求項１又は２記載の椅子。
【請求項４】
前記座面板の下面に、前記板ばねの上片の端部を滑り可能とする滑り部材を設けてなることを特徴とする請求項１、２又は３記載の椅子。
【請求項５】
前記椅子本体に、前記座面板を着座定位置でロック・アンロックするロック装置を設けてなることを特徴とする請求項１、２、３又は４記載の椅子。
【発明の詳細な説明】
【技術分野】
【０００１】
この発明は、椅子に関し、特に年配の方や脚力の衰えた人が着座及び立上がりするのを容易とする椅子に関する。
【背景技術】
【０００２】
従来、一般的に、椅子を使用する場合、人が着座した状態から立ち上がる際に、肘掛け部に手をかけて補助的に身体を支えながら、主として脚部の筋肉を使って体重を徐々に上方と前方へ移動させて起立する。一方、着座するときも上記の立ち上がりと逆に、肘掛け部に手をかけて身体を支えながら主として脚部の筋肉を使って体重を徐々に下方と後方へ移動させて着座する。この場合、主に脚部の筋力を使うので、足腰、脚力の衰えた人にとっては容易なことではない。
【０００３】
そこで、従来では、特許文献１に示されているように、椅子の本体に固着された下板と、人が着座するための座面板とを有しており、前記下板と座面板の両板間に前方側でＵ字状の板ばねを用いて前記座面板の後方側を上方と前方に向けて回動する方向に付勢されており、立ち上がるときは前記板ばねの付勢力により座面板が持ち上がって腰を押し上げて立ち上がりを補助し、座るときも前記板ばねの付勢力により座面板が腰を支えながら着座を補助する椅子が開発されている。
【０００４】
なお、上記のＵ字状の板ばねを構成する２片が下板と座面板に固定されているので、座面板はＵ字状の板ばねの曲げ部を中心にして回動するように構成されている。
【０００５】
また、従来の他の椅子では、特許文献２に示されているように、上記の特許文献１に相当する下板に対して座面板を回転軸で回動自在に軸支すると共に、前記回転軸に巻装したコイル状の押し上げ用ばねを用いて前記座面板の後方側を上方と前方に向けて回動する方向に付勢している。その動作は特許文献１で説明したのとほぼ同様である。
【０００６】
また、従来の他の椅子では、特許文献３及び特許文献４に示されているように、上記の特許文献１に相当する下板に対して座面板を回転軸で回動自在に軸支すると共に、ガススプリングや油圧シリンダにより前記座面板の後方側を上方と前方に向けて回動する方向に付勢するものがある。
【特許文献１】実用新案登録第３０２２１４４号公報
【特許文献２】特許第３４３８１６７号公報
【特許文献３】特開２０００−１１６７１２号公報
【特許文献４】特開２００４−１２９７９５号公報
【発明の開示】
【発明が解決しようとする課題】
【０００７】
ところで、従来の椅子においては、特許文献１及び特許文献２では、着座している状態から立ち上がる際に、立ち上がりの開始から終了までの間、あるいは着座の開始から終了までの間では、Ｕ字状の板ばねやコイル状ばね等の押し上げ用ばねによるモーメントは一定である。しかし、実際には、立ち上がる際に、着座しているときは座面板にほぼ全体重がかかっているが、立ち上がり終了になるにつれて次第に座面板にかかる重量が少なくなっていくのである。
【０００８】
したがって、予め押し上げ用ばねのばね力が大きく設定されていると、立ち上がり終了近くでは座面板の跳ね上がり力が強くなってしまい、前方へ押し出す力が大きくなり、不自然な感覚で押しやられるので、年配の方や脚力の衰えた人にとっては不安定になるという問題点があった。
【０００９】
一方、予め押し上げ用ばねの付勢力が小さく設定されていると、押し上げ力が小さいので、それだけ立ち上がるのに負担がかかることになる。逆に、着座するときも、不自然な感覚であるという問題点は上記の立ち上がりのときと同様である。
【００１０】
また、人の体重は様々であるので、体重に応じて座面板の持ち上げ力を調整する必要があるが、調整するには板ばねや押し上げ用ばねを交換する必要がある。しかし、構造上、板ばねは座面板と下板に固定していたり、コイル状の押し上げ用ばねは回転軸に巻装したりしているので、容易に交換できないという問題点があった。
【００１１】
また、一旦、板ばねや押し上げ用ばねを装着してからは、人の体重に応じて持ち上げ力を調整できないという問題点があった。
【００１２】
また、特許文献１では、Ｕ字状の板ばねの強度・耐久性を確保するために、Ｕ字状の板ばねの曲げ部の曲げ半径を大きくしており、この曲げ半径を可能な限り大きくするために、Ｕ字状の板ばねの曲げ部を座面板と下板の外部に露出させている。しかし、座面板と下板の前方側に露出させるので、曲げ半径を大きくするとそれだけ曲げ部が前方に張り出すと曲げ部が座る人の足に当たるなどの影響を与えるために、曲げ半径を大きくすることには限界があるという問題点があった。
【００１３】
また、特許文献３では、ガススプリングにより座面板を回動する方向に付勢するので、座面板を支持するモーメントが一定であり、且つガススプリングの付勢力が一定であるために、座る人にとって、立ち上がり時及び着座時に不自然な感覚であるという問題点は特許文献１及び特許文献２と同様である。また、体重に応じて座面板の持ち上げ力を調整するために、ガススプリングを交換する必要があるという点でも特許文献１及び特許文献２と同様の問題点があった。
【００１４】
また、特許文献４では、油圧シリンダにより座面板を回動する方向に付勢するので、座面板を押し上げるスピードと力をコントロールすることは容易であるが、油圧シリンダを駆動するための駆動装置を必要とするために装置構造が複雑となり高価になるという問題点があった。
【００１５】
この発明は上述の課題を解決するためになされたものである。
【課題を解決するための手段】
【００１６】
この発明の椅子は、人が腰掛けるための座面板であって、椅子本体の前部に取り付けたヒンジ部を中心に後方側を前後方向へ回動自在に設けた座面板と、
この座面板の前記ヒンジ部の高さより下方に位置して椅子本体に固定した下板と、
この下板と前記座面板との間で前記座面板を着座定位置から着座前傾斜位置へ付勢するための上片と下片とでＶ字形状をなす板ばねであって、前記下片を前記下板に取り付けると共に前記上片の端部を前記座面板の下面に当接する板ばねと、
で構成することを特徴とするものである。
【００１７】
この発明の椅子は、前記椅子において、前記板ばねの下片が、前記下板上において前後方向に移動調整可能であることが好ましい。
【００１８】
この発明の椅子は、前記椅子において、前記板ばねが、前記座面板の幅方向のほぼ中央に位置していることが好ましい。
【００１９】
この発明の椅子は、前記椅子において、前記座面板の下面に、前記板ばねの上片の端部を滑り可能とする滑り部材を設けていることが好ましい。
【００２０】
この発明の椅子は、前記椅子において、前記椅子本体に、前記座面板を着座定位置でロック・アンロックするロック装置を設けていることが好ましい。
【発明の効果】
【００２１】
以上のごとき課題を解決するための手段から理解されるように、この発明によれば、Ｖ字形状の板ばねを取り付ける下板が座面板のヒンジ部の高さより下方に位置することで、Ｖ字形状の板ばねの回動支点が座面板の回動支点より下方に位置することにより、着座するときは、板ばねの上片の当接点は下降するにつれて座面板を支えるモーメントが大きくなるので、座面板は下降するにつれて板ばねにより次第に増加して強くなる力で支えられる。その逆に、立ち上がるときは、板ばねの上片の当接点は上昇するにつれて座面板を支えるモーメントが小さくなるので、座面板は上昇するにつれて板ばねにより次第に減少して弱くなる力で支えられる。
【００２２】
その結果、違和感なく自然な感覚で立ち上がり及び着座できるようにやさしく補助できる。しかも、Ｖ字形状の板ばねであるために構造が簡単であるので安価に製作でき、また、板ばねの下片のみが下板に取り付けられているので、体重に応じて他の板ばねとの交換あるいは追加してばね力を加減することも容易である。
【００２３】
また、Ｖ字形状の板ばねを取り付ける下板が座面板のヒンジ部の高さより下方に位置しているので、板ばねの曲げ部の曲げ半径を大きくとることが可能となるために、板ばねの耐久性や強度アップを図ることができる。
【発明を実施するための最良の形態】
【００２４】
以下、この発明の実施の形態について図面を参照して説明する。
【００２５】
図１及び図２を参照するに、この実施の形態に係る椅子１は、２本の前脚部３と２本の後脚部５とからなる椅子本体７と、椅子本体７の上端の左右に設けた肘掛け部９と、椅子本体７の上端の後方に、この実施の形態では左右の肘掛け部９と補強部１１の後端に設けた背もたれ部１３と、前記椅子本体７の高さ方向の中間位置に人が腰掛けるために設けた座面板１５と、が備えられている。
【００２６】
前記座面板１５について詳しく説明すると、上記の椅子本体７には、２本の前脚部３の高さ方向のほぼ中間位置で前記２本の前脚部３に左右方向に横架すると共に前記座面板１５の前方側を支持するための前部座面板支持部材１７と、２本の後脚部５の高さ方向のほぼ中間位置で前記２本の後脚部５に左右方向に横架すると共に前記座面板１５の後方側を支持するための後部座面板支持部材１９と、を備えており、前記座面板１５はその前方側と前部座面板支持部材１７に取り付けたヒンジ部２１を中心にして後方側を上方と前方に向けて回動自在に設けられている。そして、前記座面板１５の後方側は上記の後部座面板支持部材１９に支持されて座面板１５の着座定位置ＳＰとなるように構成されている。
【００２７】
さらに、上記の椅子本体７には、前記座面板１５の着座定位置ＳＰより下方に、すなわち、前部座面板支持部材１７の下方位置で２本の前脚部３に左右方向に横架する前部下板支持部材２３と、後部座面板支持部材１９の下方位置で２本の後脚部５に左右方向に横架する後部下板支持部材２５と、上記の前部、後部下板支持部材２３，２５にその幅方向のほぼ中央位置で前後方向に横架する下板２７と、が備えらえている。したがって、下板２７は、上記の座面板１５の着座定位置ＳＰより下方に、換言すれば前記ヒンジ部２１の軸中心の高さより下方に位置している。
【００２８】
さらに、上記の下板２７と座面板１５との間には、前記座面板１５の後方側を着座定位置ＳＰから上方へ持ち上げる方向に付勢するためのＶ字形状をなす板ばね２９が設けられている。前記板ばね２９は上片３１と下片３３とから構成されており、前記下片３３が下板２７に取り付けられると共に前記上片３１の端部には湾曲形状に形成された湾曲部３５が設けられており、この湾曲部３５で前記座面板１５の下面に突き当てるように形成されている。
【００２９】
なお、座面板１５の下面には、図２に示されているように、板ばね２９の上片３１の湾曲部３５を突き当てて滑り可能とする平板状の滑り部材３７が設けられている。この滑り部材３７は、例えば摩擦係数の小さい樹脂材で構成されているが、金属板あるいは他の材質であっても構わない。
【００３０】
図３を参照するに、上記のＶ字形状をなす板ばね２９について詳しく説明すると、板ばね２９の下片３３には前後方向に長孔３９が設けられており、下板２７の上面に突出した２本のボルト４１を前記長孔３９内に挿通せしめて前記２本のボルト４１にナット部材４３を螺合して締め付けることにより、板ばね２９を下板２７に固定するように構成されている。したがって、上記のナット部材４３を若干緩めて板ばね２９を簡単に長孔３９に沿って前後方向に移動調整することができる。また、板ばね２９の下片３３が下板２７上に取り付けられており、上片３１がフリーであるので、取付位置を調整することが容易であり、他の板ばね２９に交換することも容易である。
【００３１】
すなわち、図３に示されているような狭い幅の板ばね２９は、ばね力が小さくなるが、図４に示されているように広い幅の板ばね２９は、ばね力が大きくなるので、座る人の体重に応じて予め準備した各種の幅の板ばね２９に交換することができる。
【００３２】
あるいは、図５に示されているように、下板２７の幅方向の寸法を大きくしておき、下板２７の幅方向のほぼ中央位置に体重に応じた最小の基準となるばね力を有する第１の板ばね２９Ａを取り付け、この第１の板ばね２９Ａの両側に、第２の板ばね２９Ｂを追加して取り付けて全体のばね力を大きくすることもできる。さらに、第２の板ばね２９Ｂの両側に、図示しない第３、第４、第５・・・の板ばね２９を取り付けられるようにもできる。あるいは、第２の板ばね２９Ｂの換わりに第３の板ばね２９、あるいは第４、第５・・・の板ばね２９と交換することもできる。この場合は第２、第３、第４、第５・・・の板ばね２９の幅を異なった寸法にしておくことにより、各種の板ばね２９の組み合わせを変えて、全体のばね力を容易に変更できる。
【００３３】
なお、第１、第２、第３、第４、第５・・・の各板ばね２９は、幅寸法は異なっても、他はほぼ同様の構成であることが望ましい。
【００３４】
また、この実施の形態では、板ばね２９が椅子本体７の幅方向すなわち、座面板１５の幅方向のほぼ中央に位置しているので、構造が簡単で調整も容易であるという点で望ましいが、必ずしも中央ではなく、左右対象位置に複数の板ばね２９を設けても構わない。
【００３５】
また、図２及び図６を参照するに、上記の座面板１５の後方側及び後部座面板支持部材１９の後ろには、座面板１５を着座定位置ＳＰでロック・アンロックするためのロック装置４５が設けられている。
【００３６】
このロック装置４５について詳しく説明すると、座面板１５の下面の後方側には例えば左右方向に所定間隔を介して突設したブラケット４７に横架した係止ピン４９からなる係止部５１が設けられており、後部座面板支持部材１９の後ろには、ロック基台５３が設けられており、このロック基台５３には係止ピン４９に係合するフック部５５を備えたロックレバー５７が支軸５９で回動自在に軸承されている。ロックレバー５７の上端には係止ピン４９をフック部５５にガイドするための傾斜面６１が設けられている。さらに、ロックレバー５７の支軸５９より上端側はロック用スプリング６３によりフック部５５を係止ピン４９に係合せしめる方向に常時付勢されており、ロック用スプリング６３の付勢力に抗して前記フック部５５と係止ピン４９との係合を解除せしめる方向にロックレバー５７の支軸５９より下端側を押圧するためのロッド６５を備えたロック解除用シリンダ６７が設けられている。
【００３７】
したがって、着座前傾斜位置図２において実線の位置より、座面板１５が下方へ移動すると、図６の二点鎖線に示されているように、係止部５１の係止ピン４９がロックレバー５７の傾斜面６１を押してロック用スプリング６３の付勢力に抗してロックレバー５７を図６において時計回り方向に回動せしめる。係止ピン４９が下降してロックレバー５７のフック部５５に達すると、ロック用スプリング６３の付勢力により反時計回り方向に押圧されてロックレバー５７のフック部５５が係止ピン４９に係合してロックされることになる。
【００３８】
一方、ロック解除するには、例えば肘掛け部９に設けた図示しないスイッチをＯＮすることにより、ロック解除用シリンダ６７のロッド６５が図６において左方向に移動してロックレバー５７を図６において時計回り方向に回動せしめてフック部５５が係止ピン４９の係合を解除してアンロックすることになる。
【００３９】
なお、この実施の形態ではロック解除用シリンダ６７によりロックを解除する構成であるが、他のロック解除機構としては、例えば、図示しないアンロック用のシャフトがロック基台５３から椅子本体７の右側へ延伸するようにして軸承されると共に、アンロック用のシャフトのロック基台５３側においては上記のロックレバー５７を図６において時計回り方向に回動せしめてフック部５５と係止ピン４９との係合を解除するための押圧部を設け、アンロック用のシャフトの椅子本体７の右側においては、座っている人がアンロック用のシャフトをその軸線方向の周りに回転して前記押圧部を作動するためのレバーがアンロック用のシャフトに連結されて上方に延伸される構成でもよい。あるいは、他のロック解除機構であっても構わない。
【００４０】
また、上記の２本の前脚部３の下端には、それぞれキャスタ６９が設けられており、椅子１を運搬し易くしている。なお、上記のキャスタ６９は２本の後脚部５の下端に設けられても良いが、もし前脚部３と後脚部５の両方にキャスタ６９を設けると不安定になり、危険であるので、前脚部３と後脚部５のいずれか一方に設けられていることが望ましい。
【００４１】
上記構成により、人が椅子１に着座する前の状態は、図１及び図２に示されているように、座面板１５がＶ字形状をなす板ばね２９の付勢力によりヒンジ部２１の軸を中心にして図２において反時計回り方向に回動して座面板１５の後方側が着座定位置ＳＰから上方へ持ち上げられており、座面板１５の前方側が下方に傾斜する状態の着座前傾斜位置にある。
【００４２】
すなわち、図７で説明すると、座面板１５と板ばね２９とは実線の状態である。このとき、下板２７に固定した板ばね２９の下片３３と上片３１との交点Ｃ２における最大の開き角度がαであり、座面板１５の後方側と板ばね２９の上片３１の端部の湾曲部３５との当接点はＡ１（Ｂ１）であり、この当接点Ａ１（Ｂ１）に当接したときの座面板１５の着座定位置ＳＰとの交点Ｃ１（すなわちヒンジ部２１の軸中心）における開き角度はθ１である。また、交点Ｃ１から当接点Ａ１（Ｂ１）までの距離はＬＡである。
【００４３】
次に、人が着座するために、図８に示されているように、肘掛け部９に手をかけて補助的に身体を支えながら腰を座面板１５に載せて体重をかけると、座面板１５は板ばね２９の付勢力に抗して交点Ｃ１を中心に着座定位置ＳＰまで図７において時計回り方向に回動することになる。
【００４４】
このとき、板ばね２９が交点Ｃ２を中心（板ばね２９の曲げ部２９Ｃの曲げ半径が大きいので、実際上はほぼ点Ｃ３付近を中心）に交点Ｃ２から当接点Ｂ１までの距離（実際上はほぼ点Ｃ３付近から当接点Ｂ１までの距離）を半径にして回動するために、座面板１５と板ばね２９の上片３１の湾曲部３５との当接点は板ばね２９のＢ１からＢ２、Ｂ３、Ｂ４の軌跡をたどることになる。
【００４５】
ところが、着座する前の座面板１５における当接点Ａ１に該当する位置は、交点Ｃ１を中心に距離ＬＡを半径にして回動するために、座面板１５のＡ１からＡ２、Ａ３、Ａ４の軌跡をたどることになる。
【００４６】
しかも、図７に示されているように、交点Ｃ１からの距離は、当接点Ｂ１ではＡ１と同じ距離ＬＡであるが、当接点Ｂ２ではＡ２の距離（＝ＬＡ）より大きい距離となり、当接点Ｂ３ではＡ３の距離（＝ＬＡ）よりさらに大きい距離となり、当接点Ｂ４ではＡ４の距離（＝ＬＡ）よりさらに大きい距離ＬＢ４となり、その差が次第に大きくなっていく。
【００４７】
したがって、座面板１５を支える板ばね２９の上片３１の湾曲部３５の当接点Ｂ１、Ｂ２、Ｂ３、Ｂ４は、下降するにつれて交点Ｃ１からの距離が次第に大きくなっていくことになる。換言すれば、板ばね２９の上片３１の湾曲部３５の当接点Ｂ１、Ｂ２、Ｂ３、Ｂ４は下降するにつれて座面板１５を支えるモーメントが大きくなるので、座面板１５は下降するにつれて板ばね２９により次第に増加して強くなる力で支えられることになる。
【００４８】
その結果、座り始めは座面板１５にあまり体重がかからなくても、板ばね２９の軟らかい力で支持されるので、違和感なく座面板１５の後方側がスムーズに後方と下方へ移動するが、座面板１５が下降するにつれて次第に体重が大きくかかってきても板ばね２９の増加する強い力でしっかりと支持されるので、座面板１５がゆっくりとスムーズに移動することになり、図９に示されているように、人は違和感なく自然な感覚で着座することができる。
【００４９】
なお、座面板１５が着座定位置ＳＰに下降すると、前述したようにロック装置４５により、係止部５１の係止ピン４９が自動的にロックレバー５７のフック部５５に係合してロックされる。
【００５０】
次に、人が椅子１から立ち上がる場合について説明すると、上記の着座するときと逆の動作となる。
【００５１】
図９に示されているように人が着座した状態から立ち上がるときは、例えば肘掛け部９に設けた図示しないスイッチをＯＮすることにより、前述したようにロック装置４５のロック解除機構によりフック部５５が係止ピン４９の係合を解除してアンロックされる。
【００５２】
次いで、人は肘掛け部９に手をかけて補助的に身体を支えながら、主として脚部の筋肉を使って体重を徐々に上方と前方へ移動させて起立することになるが、このとき、図７に示されているように、板ばね２９の付勢力により、座面板１５は交点Ｃ１を中心に着座定位置ＳＰから図７において反時計回り方向に回動することになる。このとき、板ばね２９が交点Ｃ２を中心（板ばね２９の曲げ部２９Ａの曲げ半径が大きいので、実際上はほぼ点Ｃ３付近を中心）に交点Ｃ２から当接点Ｂ４までの距離ＬＡ（実際上はほぼ点Ｃ３付近から当接点Ｂ４までの距離）を半径にして回動するために、座面板１５と板ばね２９の上片３１の湾曲部３５との当接点は板ばね２９のＢ４からＢ３、Ｂ２、Ｂ１の軌跡をたどることになる。
【００５３】
一方、立ち上がり終了時の座面板１５における当接点Ａ１に該当する位置は、交点Ｃ１を中心に距離ＬＡを半径にして回動するために、着座定位置ＳＰの座面板１５のＡ４からＡ３、Ａ２、Ａ１の軌跡をたどることになる。
【００５４】
したがって、前述した着座する場合とは逆に、座面板１５を支える板ばね２９の上片３１の湾曲部３５の当接点Ｂ４、Ｂ３、Ｂ２、Ｂ１は、上昇するにつれて交点Ｃ１からの距離が次第に小さくなっていくことになる。換言すれば、板ばね２９の上片３１の湾曲部３５の当接点Ｂ４、Ｂ３、Ｂ２、Ｂ１は上昇するにつれて座面板１５を支えるモーメントが小さくなるので、座面板１５は上昇するにつれて板ばね２９により次第に減少して弱くなる力で支えられることになる。
【００５５】
その結果、立ち上がりの始めはほぼ全体重が座面板１５にかかった状態から身体を持ち上げるには脚部の筋力を要するのであるが、板ばね２９の強い力で補助的に押し上げられるので大いに助けられる。そして、人が立ち上がるにつれて身体が次第に前方へ移動して座面板１５への体重のかかり具合が少なくなって行くのであるが、座面板１５が上昇するにつれて板ばね２９による支持力が次第に減少するので、軟らかい力で座面板１５がスムーズに人を前方へ押しやるように移動することになり、図８に示されているように、人は違和感なく自然な感覚で立ち上がることができる。
【００５６】
以上の動作は、Ｖ字形状の板ばね２９を取り付ける下板２７が座面板１５のヒンジ部２１の軸中心の高さより下方に位置することで、Ｖ字形状の板ばね２９の回動支点Ｃ２が座面板１５の回動支点Ｃ１より下方に位置することにより生じるものである。
【００５７】
次に、板ばね２９の位置を前後方向に移動調整することについて図７を参照して説明する。例えば、板ばね２９の位置が前述した図７の実線の位置から点線の前方位置へ移動されると、板ばね２９の上片３１の湾曲部３５が前方へ移動するために座面板１５と板ばね２９の上片３１の湾曲部３５との当接点Ｄが前方へ移動するので、座面板１５の傾斜角はθ１からθ２に大きく変化する。しかも、座面板１５を支える板ばね２９の上片３１の湾曲部３５の当接点Ｄは、交点Ｃ１からの距離ＬＤが前述した図７の実線の場合の距離ＬＡより小さくなる。したがって、座面板１５を支えるモーメントが小さくなる。
【００５８】
一方、図示していないが、板ばね２９の位置が前述した図７の実線の位置から後方位置へ移動される場合は、上記の前方へ移動される場合とは逆になる。すなわち、座面板１５の傾斜角はθ１から小さい角度に変化するが、座面板１５を支えるモーメントが大きくなる。
【００５９】
以上のように、板ばね２９の位置を前後方向に移動調整することによって、着座する人の体重に応じて座面板１５の傾斜角と座面板１５を支えるモーメントを容易に調整することができる。なお、板ばね２９が前後方向のどの位置においても、着座時と立ち上がり時の動作は前述した説明と同様である。
【００６０】
また、Ｖ字形状の板ばね２９を取り付ける下板２７が座面板１５のヒンジ部２１の軸中心の高さより下方に位置しているので、Ｖ字形状の板ばね２９の曲げ部２９Ｃの曲げ半径を大きくとることが可能となる。したがって、従来の特許文献１の椅子に用いられた板ばね構造に比べて、この実施の形態の板ばね２９の方が耐久性や強度アップを図ることが容易である。しかも、従来のように板ばね２９の曲げ半径を大きくするために曲げ部２９Ｃを前方に張り出す必要がないので、曲げ部２９Ｃが座る人の足に当たるなどの影響を与えることがない。
【００６１】
以上のことから、この実施の形態の椅子１は、違和感なく自然な感覚で立ち上がり及び着座できるようにやさしく補助できるものである。しかも、Ｖ字形状の板ばね２９であるために構造が簡単であるので安価に製作でき、また前述したように座る人の体重に応じて板ばね２９を前後に移動してばね力の調整も容易であり、さらには、板ばね２９の下片３３のみが下板２７に取り付けられているので、体重に応じて他の板ばね２９との交換あるいは追加してばね力を加減することも容易である。
【図面の簡単な説明】
【００６２】
【図１】この発明の実施の形態の椅子の斜視図である。
【図２】図１の側面から視た縦断面図である。
【図３】Ｖ字形状の板ばねが下板に取り付けられる状態を示す斜視図である。
【図４】図３の他の実施の形態を示す斜視図である。
【図５】図３及び図４の他の実施の形態を示す斜視図である。
【図６】ロック装置の詳細を示す概略説明図である。
【図７】この発明の実施の形態の椅子の動作を概略的に示す動作説明図である。
【図８】人が椅子に着座する前、あるいは立ち上がり終了時の状態を示す説明図である。
【図９】人が椅子に着座した状態を示す説明図である。
【符号の説明】
【００６３】
１  椅子
３  前脚部
５  後脚部
７  椅子本体
９  肘掛け部
１３  背もたれ部
１５  座面板
１７  前部座面板支持部材
１９  後部座面板支持部材
２１  ヒンジ部
２３  前部下板支持部材
２５  後部下板支持部材
２７  下板
２９  板ばね
２９Ｃ  曲げ部
３１  上片
３３  下片
３５  湾曲部
３７  滑り部材
３９  長孔
４１  ボルト
４３  ナット部材
４５  ロック装置
４９  係止ピン
５１  係止部
５３  ロック基台
５５  フック部
５７  ロックレバー
５９  支軸
６３  ロック用スプリング
６７  ロック解除用シリンダ
６９  キャスタ
ＳＰ  着座定位置
【図１】
2007097859.tif 000003
【図２】
2007097859.tif 000004
【図３】
2007097859.tif 000005
【図４】
2007097859.tif 000006
【図５】
2007097859.tif 000007
【図６】
2007097859.tif 000008
【図７】
2007097859.tif 000009
【図８】
2007097859.tif 000010
【図９】
2007097859.tif 000011